【事件の表示】
　特許第２８８７６２４号「野菜移植機」の請求項１に係る特許に対する特許異議の申立てについて、次のとおり決定する。
【結　論】
　訂正を認める。
　特許第２８８７６２４号の請求項１に係る特許を維持する。
【理　由】
１．手続きの経緯
　本件特許第２８８７６２４号の請求項１に係る発明についての出願は、平成４年４月２日に特許出願され、平成１１年２月１９日にその発明についての特許権の設定登録がなされ、その後、その特許について、異議申立人、井関農機株式会社より特許異議の申立てがなされ、取消しの理由を通知したところ、平成１２年８月７日に訂正請求がなされたものである。
　
２．訂正請求について
２-1．訂正の内容
　特許権者が求めている訂正の内容は、次のとおりである。
（ａ）特許請求の範囲の請求項１（本件特許公報１頁下段左欄２〜３行）に記載された「上下にフローテイング自在に植付部（１０）を支持し、」を、特許請求の範囲の減縮を目的として、「走行輪（４）及び苗載台（１４）を装設する機体に対して上下にフローティング自在に植付部（１０）を苗植付面に培土ローラ（１３）によって支持し、」と訂正する。
（ｂ）段落【０００４】欄の２行（同公報１頁下段右欄８〜９行）の「然るに、本発明は、上下にフローテイング自在に植付部を支持し、」を、「然るに、本発明は、走行輪及び苗載台を装設する機体に対して上下にフローティング自在に植付部を苗植付面に培土ローラによって支持し、」と訂正する。
（ｃ）段落【００１３】欄の２〜３行（同公報３頁右欄２５〜２６行）の「上下にフローティング自在に植付部（１０）を支持し、」を、「走行輪（４）及び苗載台（１４）を装設する機体に対して上下にフローテイング自在に植付部（１０）を苗植付面に培土ローラ（１３）によって支持し、」と訂正する。
２-2．訂正の適否
　上記（ａ）の訂正は、特許明細書の特許請求の範囲に記載された「上下にフローティング自在に植付部（１０）を支持する」構成を、「走行輪（４）及び苗載台（１４）を装設する機体に対して上下にフローテイング自在に植付部（１０）を苗植付面に培土ローラ（１３）によって支持する」構成に限定するものであるから、特許請求の範囲の減縮を目的とするものである。
　また、上記（ｂ）及び（ｃ）の訂正は、発明の詳細な説明の記載を訂正後の特許請求の範囲の記載と整合させるためのものであるから、明りょうでない記載の釈明を目的とするものである。
　そして、「走行輪（４）及び苗載台（１４）を装設する機体に対して上下にフローテイング自在に植付部（１０）を苗植付面に培土ローラ（１３）によって支持する」構成は、特許明細書の段落【０００５】、【０００７】及び【０００８】並びに図１及び図２に記載されているので、（ａ）ないし（ｃ）の訂正は、願書に添付した明細書又は図面に記載した事項の範囲内においてするものであって新規事項を追加するものでなく、かつ、実質上特許請求の範囲を拡張し、又は変更するものではない。
２-3．独立特許要件の判断
　当審において、本件の請求項１に係る発明は、特開平４−４０８０８号公報（異議申立人が提示した甲第１号証）に記載された発明であるから、特許法第２９条第１項第３号に該当し、特許を受けることができないものであるから、その特許は拒絶の査定をしなければならない特許出願に対してされたものであるとして取消しの理由を通知した。
　ところで、訂正明細書の請求項１に係る発明は、訂正明細書の特許請求の範囲の請求項１に記載されたとおりの、
　「走行輪（４）及び苗載台（１４）を装設する機体に対して上下にフローティング自在に植付部（１０）を苗植付面に培土ローラ（１３）によって支持し、前記植付部（１０）の植付爪（１８）後側に培土ローラ（１３）を相対位置調節自在に取付けると共に、植付爪（１８）と培土ローラ（１３）の相対位置を変更する植深レバー（３９）を設けたことを特徴とする野菜移植機。」
により特定されるものである。
　そして、訂正明細書の請求項１に係る発明は、「３-3．当審の判断」において後述する理由により、特許出願の際独立して特許を受けることができるものである。
２-4．むすび
　以上のとおりであるから、上記訂正は特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書、第２項及び第３項の規定に適合するので、当該訂正を認める。
　
３．特許異議の申立てについて
３-1．異議申立て理由の概要
　本件の請求項１に係る発明は、下記の甲第１ないし２号証に記載された発明に基いて当業者が容易に発明をすることができたものであるから、その特許は特許法第２９条第２項の規定に違反してされたものであり、取り消されるべきである。
　　　　　　　　　　　　　　　記
　甲第１号証：特開平４−４０８０８号公報
　甲第２号証：実願昭５７−１３６３０８号（実開昭５９−３８７０８号）のマイクロフイルム
３-2．本件特許発明
　本件の請求項１に係る発明（以下、「本件発明」という）は、訂正請求によって訂正された特許明細書の特許請求の範囲の請求項１に記載されたとおりのものである（上記「２-3．独立特許要件の判断」参照）。
３-3．当審の判断
３-3-1．甲号証記載の発明
（ａ）甲第１号証（特開平４−４０８０８号公報）には、乗用野菜移植機に関し、
（ａ-1）「各移植機は第８図乃至第１３図に示すように、苗を載せる苗載台５０と、圃場に移植用の溝を形成する作溝器５１と、苗載台５０上の苗を圃場に植え付ける植付装置５２と、移植後の溝に土を埋める左右一対の覆土輪５３，５３を備えている。」（３頁左上欄１〜５行）、
（ａ-2）「植付装置５２は、・・・一対の移植爪５４ａ，５４ａで・・・苗１０１を把持し、それを前記溝１００内に植え付けるようになっている。・・・車輪支持板５７ａの後端部に上下に回動自在に設けたねじ棒５３ａに覆土輪支持板５３ｂをナット５５で取り付け、この覆土輪支持板５３ｂの先端部に覆土輪５３が回転自在に軸支されている。ねじ棒５３ａは・・・下向きに付勢されているので、覆土輪５３は圃場面を弾性的に押圧しつつ転動する。これによって溝１００の両側に盛り上がった土を溝１００内に導き押し込む。」（３頁右上欄４〜１７行）、
（ａ-3）「この移植機機体は、左右一対の車輪５７，５７によって圃場面上に支持される。車輪５７は、機体の機枠に上下に回動可能に取付けた車輪支持棒５７ａ，５７ａの後端部に軸支されている。」（３頁左下欄２〜５行）、
（ａ-4）「移植機全体が六角軸６５を中心として上下に揺動自在で」（３頁右下欄１３〜１４行）と記載されている。
（ａ-5）第８図には、レバーで螺軸を回転することによって、覆土輪５３が設けられている車輪支持板５７ａを上下調節できる構成が記載されている。
　上記記載及び図面の記載によると、甲第１号証には、
　機体に対して、苗載台５０及び植付装置５２を装設した移植機を上下にフローティング自在に車輪５７，５７によって支持し、前記植付装置５２の移植爪５４ａ，５４ａ後側に覆土輪５３を相対位置調節自在に取付けると共に移植爪５４ａ，５４ａと、車輪５７，５７及び覆土輪５３の相対位置を変更するレバーを設けた野菜移植機（以下、「甲第１号証の発明」という）が記載されていると認められる。
（ｂ）甲第２号証（実願昭５７−１３６３０８号（実開昭５９−３８７０８号）のマイクロフイルム）には、移植機の覆土輪取付装置に関し、
（ｂ-1）「第１・２図に示すように、移植機(１)は、主フレーム(２)と；　該フレーム(２)の前後を支持する前輪(３)及び後輪(４)と；　後輪(４)を駆動すべく主フレーム(２)の後部に載置されたエンジン(５)と；　前・後輪(３)(４)間の主フレーム(２)下方に設けられた揺動フレーム(６)に、前方より順次設けられた作溝器(７)、植付ディスク(８)及び覆土輪(８)と；　主フレーム(２)に上下移動自在に設けられた可動フレーム(10)に設けられた送り装置(11)と；　前・後輪(３)(４)間の主フレーム(２)上に載置された座席(12)等と；　から主構成されている。
　上記揺動フレーム(６)は、その前端が可動フレーム(10)下端に上下揺動自在に枢結され、その後端が、スプリング(13)を介して主フレーム(２)下面に吊持ちされている。そして送り装置(11)と植付ディスク(８)で移植部が構成されている。」（２頁１４行〜３頁９行）、
（ｂ-2）「前記植付ディスク(８)の後方に配置された覆土輪(９)の取付装置は、第４図に示すように、揺動フレーム(６)に設けられた左右一対のブラケット(22)と該ブラケット(22)に軸支された回転軸(23)と、該回転軸(23)の両端に自在接手(24)を介して連結された傾斜支軸(25)と、該傾斜支軸(25)を所定角度で支持するサポータ(26)とからなり、覆土輪(９)は、傾斜支軸(25)に軸方向移動固定自在に套嵌されている。傾斜支軸(25)を支持するサポータ(26)は、ブラケット(22)に対し、上下及び前後取付け位置変更自在となるよう、ブラケツト(22)に長穴を介して取着されている。従って、この取付け位置を変更することにより、傾斜支軸(25)の傾斜角は変更自在となる。
　上記本考案の実施例によれば、送り装置(11)によって順次送られて来る苗(27)は、移植ディスク(８)に受け渡され、作溝器(７)で堀られた畝溝(28)内に順次落下される。そして後方の覆土輪(９)で覆土されかつ鎮圧される。
　上記覆土兼鎮圧に際し、覆土輪(９)の巾(Ｗ)が調整自在であり、かつ地面に対する接地角(θ)が調整自在であるから、作業条件に適合した巾(Ｗ)及び角度(θ)が選べ、便利である。」（４頁９行〜５頁１０行）と記載されている。
　上記記載及び図面の記載によると、甲第２号証には、
　前輪(３)及び後輪(４)を装設する主フレーム(２)に対して上下にフローティング自在に植付ディスク(８)を苗植付面に覆土輪(９)によって支持し、前記植付ディスク(８)の後側に覆土輪(９)の傾斜角を変更自在に取付けた野菜移植機（以下、「甲第２号証の発明」という）が記載されていると認められる。
３-3-2．対比・判断
　本件発明と甲第１号証の発明とを対比すると、甲第１号証の発明における「植付装置５２」及び「覆土輪５３」が、本件発明の「植付部（１０）」及び「培土ローラ（１３）」に相当しているので、両者は、
　本件発明が、「走行輪（４）及び苗載台（１４）を装設する機体に対して上下にフローティング自在に植付部（１０）を苗植付面に培土ローラ（１３）によって支持し」ているのに対し、引用刊行物１記載の発明は、植付部（１０）移植機を左右一対の車輪５７，５７によって支持しており、苗載台が移植機に装設されており、苗載台を装設する機体に対して移植機を上下にフローティング自在に支持するものではない点で構成が相違している。
　上記相違点について検討すると、甲第１号証の発明は、移植機を左右一対の車輪５７，５７によって支持しており、重量の重い移植機を覆土輪５３によって支持することは困難であるから、上記相違点の構成を当業者が容易に想到できるとはいえない。
　また、本件発明と甲第２号証の発明とを対比すると、
甲第２号証の発明における「前輪(３)及び後輪(４)」、「主フレーム(２)」及び「覆土輪(９)」が、本件発明の「走行輪（４）」、「機体」及び「培土ローラ（１３）」に相当しているので、両者は、
　本件発明が、「植付部の植付爪後側に培土ローラ（１３）を相対位置調節自在に取付けると共に植付爪と培土ローラの相対位置を変更する植深レバーを設け」ているのに対し、甲第２号証の発明は、覆土輪(９)の傾斜角を変更自在に取付けている点で構成が相違している。
　上記相違点について検討すると、甲第２号証の発明の「覆土輪(９)」は傾斜角を変更自在に取付けられており、植付ディスク(８)と覆土輪(９)のの相対位置を変更しているといえるが、覆土輪(９)の傾斜角を変更するのは、覆土輪(９)を作業条件に適合した巾(Ｗ)及び角度(θ)にするためのものであり植付け深さが調節できるものではなく、また、植付部は植付ディスク(８)で構成されていて植付爪を備えていないものであるから、甲第２号証の発明において、植深レバーによって植付爪と覆土輪(９)の相対位置を変更するように構成することは当業者が容易に想到できるとはいえない。
　しかも、甲第１又は２号証には、本件発明の構成の一部が記載されているのみで、これらを組み合わせて本件発明を示唆する記載もない。
　そして、本件発明は特許明細書記載の効果を奏するものである。
　したがって、本件発明が上記甲第１ないし２号証に記載された発明に基いて当業者が容易に発明をすることができたものとすることはできない。
　なお、異議申立人は、参考資料１（実願昭６２−１３０７５５号（実開昭６３−１９９５１５号）のマイクロフルム）、参考資料２（実願平１−３５１９１号（実開平２−１２７１０５号）のマイクロフルム）、参考資料３（実開昭６４−２６９１１号公報を提示し、植深レバーを設けたことにより、苗の植深を容易に選択できるようにすることは周知の技術であると主張するが、参考資料１ないし３に記載された発明は、甲第１号証の発明と同様のものであり、走行輪及び苗載台を装設する機体に対して上下にフローティング自在に植付部を培土ローラによって支持するものではないから、上記本件発明と甲第１号証の発明との対比において記載した理由により異議申立人の主張を採用することはできない。
３-4．むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年２月２０日（２００２．２．２０）
【訂正の要旨】
訂正の要旨
　特許第２８８７６２４号発明の特許明細書を訂正請求書に添付した訂正明細書のとおりに、すなわち、特許請求の範囲の減縮を目的として下記（ａ）のとおりに訂正し、明りょうでない記載の釈明を目的として下記（ｂ）及び（ｃ）のとおりに訂正する。
（ａ）特許請求の範囲の請求項１（本件特許公報１頁下段左欄２〜３行）に記載された「上下にフローテイング自在に植付部（１０）を支持し、」を、特許請求の範囲の減縮を目的として、「走行輪（４）及び苗載台（１４）を装設する機体に対して上下にフローティング自在に植付部（１０）を苗植付面に培土ローラ（１３）によって支持し、」と訂正する。
（ｂ）段落【０００４】欄の２行（同公報１頁下段右欄８〜９行）の「然るに、本発明は、上下にフローテイング自在に植付部を支持し、」を、「然るに、本発明は、走行輪及び苗載台を装設する機体に対して上下にフローティング自在に植付部を苗植付面に培土ローラによって支持し、」と訂正する。
（ｃ）段落【００１３】欄の２〜３行（同公報３頁右欄２５〜２６行）の「上下にフローティング自在に植付部（１０）を支持し、」を、「走行輪（４）及び苗載台（１４）を装設する機体に対して上下にフローテイング自在に植付部（１０）を苗植付面に培土ローラ（１３）によって支持し、」と訂正する。
（５４）【発明の名称】
野菜移植機
（５７）【特許請求の範囲】
　【請求項１】　
走行輪（４）及び苗載台（１４）を装設する機体に対して
苗植付面に培土ローラ（１３）によって
【発明の詳細な説明】
　【０００１】
　【産業上の利用分野】
　本発明は例えば苗載台の苗トレイから苗取出爪によって取出した１株分のポット苗を植付爪に受取って順次圃場に植付ける野菜移植機に関する。
　【０００２】
　【従来の技術】
　従来、植付爪後側に培土ローラを設け、植付爪によって植付けたポット苗の培土を行う技術があった。
　【０００３】
　【発明が解決しようとする課題】
　前記従来技術は、植付爪の最下降位置と培土ローラの相対高さが略一定であったから、圃場条件または作物の種類などに応じて苗の植深を容易に選択し得ない等の機能上の問題があった。
　【０００４】
　【課題を解決するための手段】
　然るに、本発明は、
走行輪及び苗載台を装設する機体に対して
苗植付面に培土ローラによって
　【０００５】
　【実施例】
　以下、本発明の実施例を図面に基づいて詳述する。図１は植付部の側面図、図２は全体側面図、図３は同全体平面図であり、図中（１）はエンジン（２）を搭載するベースフレーム、（３）は前記フレーム（１）後端に連設するミッションケース、（４）は前記ミッションケース（３）に左右スイングケース（５）を介し上下揺動可能に支持する左右の走行駆動輪である後輪、（６）は前記前フレーム（１）の前端側にスイングアーム（７）を介し上下揺動可能に支持する左右の前輪、（８）は前記ミッションケース（３）の後方にシャーシフレーム（９）を介し装設する苗供給装置、（１０）は左右の後輪（４）（４）間で前記ミッションケース（３）に植付伝動ケース（１１）を介して装設する苗植付部、（１２）は畝面（Ａ）を鎮圧する鎮圧ローラ、（１３）は前記苗植付部（１０）を上下揺動可能に支持する左右一対の培土ローラであり、前記苗供給装置（８）における左右往復移動する苗載台（１４）上の苗トレイ（１５）より１株分のポット苗を苗取出爪（１６）でもって取出すと共に、この取出されたポット苗を前記苗植付部（１０）のホッパ形植付爪（１８）に供給し、操向ハンドル（１９）操作による機体の走行中畝面（Ａ）に一定間隔毎のポット苗の植付けつまり移植を行うように構成している。
　【０００６】
　また、（２０）は車高調節レバー、（２１）は走行クラッチレバー、（２２）は植付クラッチレバー、（２３）は走行変速レバー、（２４）は株間変速レバー、（２５）は培土調節レバー、（２６）は左右サイドクラッチレバー、（２７）は上面ボンネット、（２８）は燃料タンク、（２９）は予備苗台である。
　【０００７】
　さらに、図１、図４、図５に示す如く、略同一軸芯線上に設けるフローティング支点である植付駆動軸（３０）とフローティング支点軸（３１）を介し、前記植付伝動ケース（１１）と植付爪昇降ガイド板（３２）をミッションケース（３）両側に揺動自在に設け、平面視Ｕ字形の植付ガードフレーム（３３）の両側前端を前記ケース（１１）及びガイド板（３２）にボルト（３４）（３５）止め固定させると共に、前記ガードフレーム（３３）に支軸（３６）を介してゲージフレーム（３７）前端を揺動自在に連結させ、ゲージフレーム（３７）後端に培土ローラ（１３）を軸支させ、またレバーガイド（３８）を介して位置調節自在に植深レバー（３９）をガードフレーム（３３）後端に取付け、ピンの差し換えにより連結長さを二段に切換自在な門形の連結金具（４０）を介して前記レバー（３９）をゲージフレーム（３７）に連結させ、レバー（３９）操作により植付爪（１８）に対する培土ローラ（１３）の支持高さを変更し、植付爪（１８）の苗移植深さを変化させるもので、上下にフローティング自在に植付部（１０）を支持し、前記植付部（１０）の植付爪（１８）後側に培土ローラ（１３）を相対位置調節自在に取付けると共に、植付爪（１８）と培土ローラ（１３）の相対位置を変更する植深レバー（３９）を設け、従来に比べ、圃場条件または作物の種類などに応じて苗の植深を選択でき、常に最適な植深で苗を植付けて苗の定着促進などを図るように構成している。
　【０００８】
　また、図６、図７、図８に示す如く、ガードフレーム（３３）にレバーガイド（３８）を固定させるブラケット（４１）にレバー上下支点（４２）を設け、該支点（４２）のブラケット（４３）にレバー左右支点（４４）を介して植深レバー（３９）を取付け、該レバー（３９）を上下及び左右に揺動自在に支持させると共に、前記レバー上下支点（４２）のアーム（４５）（４５）にピン（４６）を介して連結金具（４０）を連結させるもので、植付駆動軸（３０）及びフローティング支点軸（３１）を中心に植付部（１０）及び培土ローラ（１３）が一体的に上下に揺動し、前記ローラ（１３）が畦（Ａ）上面に接地し乍ら移動すると共に、一対の培土ローラ（１３）（１３）上方に植深レバー（３９）を取付け、植付部（１０）の前後方向中心線上にレバー（３９）を位置させ、また各ローラ（１３）（１３）間に連結金具（４０）を配設させ、ローラ（１３）の交換などを容易に行えるように構成している。
　【０００９】
　さらに、図６、図７、図９に示す如く、前記シャーシフレーム（９）に苗台フレーム（４７）を一体連設させ、各フレーム（９）（４７）間にレバーガイド（４８）を連結させ、左右のシャーシフレーム（９）（９）を連結する補強フレーム（４９）のアーム（５０）とレバーガイド（４８）にレバー軸（５１）を設け、レバーガイド（４８）にレバー支点（５２）を介して取付ける前記培土調節レバー（２５）をレバー軸（５１）のアーム（５３）に培土圧設定バネ（５４）を介して連結させると共に、Ｕ形リンク（５５）中間をレバー軸（５１）のアーム（５６）にピン（５７）を介して連結させ、前記リンク（５５）のＵ形両端を左の前記ブラケット（４１）にピン（５８）を介して連結させるもので、前記レバー（２５）操作によりバネ（５４）を伸張させたとき、バネ（５４）によるガードフレーム（３３）押下げ力が増大し、培土ローラ（１３）が畦（Ａ）上面に接する圧力を大きくする一方、前記バネ（５４）の縮少によりガードフレーム（３３）押下げ力が減少し、培土ローラ（１３）が畦（Ａ）上面に接する圧力を小さくし、ローラ（１３）の培土圧を変更して作業条件に合った培土状態を得ると共に、前記シャーシフレーム（９）側面にレバーガイド（４８）を設けてレバー（２５）を操作し易く構成し、また前記Ｕ形リンク（５５）のＵ形中間部によりアーム（５６）との展開角度を制限し、回行時などにおけるガードフレーム（３３）及び培土ローラ（１３）の下方移動（下降）を規制するように構成している。
　【００１０】
　さらに、図１、図５、図１０に示す如く、前記植付爪（１８）は、植付伝動ケース（１１）の出力軸である植付駆動軸（５９）にロータリケース（６０）及びクランクアーム（６１）を介し支持する植付アーム（６２）に取付けるもので、前記駆動軸（５９）中心としてロータリケース（６０）を回転させるとき、クランクアーム（６１）をロータリケース（６０）と反対方向のに回転させると共に、前記植付アーム（６２）にクランクアーム（６１）先端を基端アーム軸（６３）を介して連結させ、先端に植付爪（１８）を取付ける爪支持体（３９）（６４）を植付アーム（６２）に２本のボルト（６５）（６５）で固定させると共に、前記昇降ガイド板（３２）に固定するレール（６６）のガイド溝（６７）に、植付アーム（６２）上端のガイドローラ（６８）を上下動自在に嵌入させ、前記クランクアーム（６１）が回転時にガイド溝（６７）に沿って植付アーム（６２）を前後に揺動させ乍ら上下動させて植付爪（１８）を楕円形状の植付軌跡で上下運動させるように構成している。
　【００１１】
　さらに、前記植付爪（１８）は、開閉自在な分割された半円錐形状の２つの爪体（１８ａ）（１８ｂ）を備え、各爪体（１８ａ）（１８ｂ）の上端側を爪支持体（６４）の軸受用ボス（６９ａ）（６９ｂ）に各アーム（７０ａ）（７０ｂ）を介してそれぞれ回動自在に支持させ、該アーム（７０ａ）（７０ｂ）基端に固設する各揺動板（７１ａ）（７１ｂ）の中央を係合ローラ（７２）を介し相互に係合連結させると共に、前記植付アーム（６２）の基端部内のアーム軸（６３）に一体回動可能に設ける植付カム（７３）に、前記揺動板（７１ａ）に一端を係止した進退ロッド（７４）他端を当接連結させ、前記クランクアーム（６１）が１回転するとき、カム（７３）でロッド（７４）を進出させて爪体（１８ａ）（１８ｂ）の下部を開閉させ、また各揺動板（７１ａ）（７１ｂ）間のバネ（７５）で爪体（１８ａ）（１８ｂ）下部を閉じるもので、開閉自在な分割された爪体（１８ａ）（１８ｂ）を有する植付爪（１８）を植付アーム（６２）に設ける野菜移植機において、植付アーム（６２）の植付カム（７３）により摺動して前記爪体（１８ａ）（１８ｂ）を開閉させるロッド（７４）を植付アーム（６２）に抜出し自在に突入させると共に、前記爪体（１８ａ）（１８ｂ）を取付ける爪支持体（６４）を植付アーム（６２）に着脱自在にボルト（６５）止め固定させている。
　【００１２】
　また、ゴム板製の前後掃除体（７６）（７７）を備え、ガードフレーム（３３）に一端を固定する支軸（７８）他端に前掃除体（７６）を固設させると共に、ガードフレーム（３３）の支点軸（７９）に一端を回転自在に軸支させるＬ形の支軸（８０）他端に後掃除体（７７）を固設させ、ストッパ（８１）で規制する前方位置に後掃除体（７７）をバネ（８２）により弾圧支持し、バネ（８２）に抗して後掃除体（７７）が後方に移動自在に取付け、下降させる閉状態の爪体（１８ａ）（１８ｂ）が前後掃除体（７６）（７７）の間を通過し、各爪体（１８ａ）（１８ｂ）外側の泥土を各掃除体（７６）（７７）によって掻き落す一方、上昇させる開状態の爪体（１８ａ）（１８ｂ）が後掃除体（７７）の前後を通過し、各爪体（１８ａ）（１８ｂ）内側の泥土を後掃除体（７７）によって掻き落すもので、開閉自在な分割された爪体（１８ａ）（１８ｂ）を有する植付爪（１８）を備えると共に、植付爪（１８）の昇降途中で付着泥土を落す掃除体（７７）を設ける野菜移植機において、植付爪（１８）が上昇時に開状態の爪体（１８ａ）（１８ｂ）が閉じ乍ら掃除体（７７）位置を通過する植付カム（７３）を設け、植付爪（１８）が下方の植付け位置から上方の苗受取り位置に上昇するとき、後掃除体（７７）が爪体（１８ａ）（１８ｂ）内に位置している状態で、爪体（１８ａ）（１８ｂ）が閉じるように前記カム（７３）を形成し、爪体（１８ａ）（１８ｂ）の閉じ力によって爪体（１８ａ）（１８ｂ）内面に後掃除体（７７）が圧着されるように構成している。
　【００１３】
　【発明の効果】
　以上実施例から明らかなように本発明は、
走行輪（４）及び苗載台（１４）を装設する機体に対して
苗植付面に培土ローラ（１３）によって
【図面の簡単な説明】
　【図１】植付部の側面図。
　【図２】全体の側面図。
　【図３】同平面図。
　【図４】ガードフレーム部の側面図。
　【図５】植付部の平面図。
　【図６】培土ローラ部の平面図。
　【図７】植深レバー部の側面図。
　【図８】培土ローラ部の背面図。
　【図９】培土調節レバー部の側面図。
　【図１０】植付爪部の側面図。
　【符号の説明】
　（１０）　植付部
　（１３）　培土ローラ
　（１８）　植付爪
　（３９）　植深レバー